【事件の表示】
　特許第２９９１７４７号「電子写真装置」の請求項１に係る特許に対する特許異議の申立てについて、次のとおり決定する。
【結　論】
　特許第２９９１７４７号の請求項１に係る特許を維持する。
【理　由】
 　
１．本件発明
　本件特許第２９９１７４７号の請求項１に係る発明（平成２年７月６日出願、平成１１年１０月１５日設定登録。）は、特許明細書及び図面の記載からみて、その特許請求の範囲の請求項１に記載された事項により特定される次のとおりのものである（以下、「本件発明」という。）。
　
　「【請求項１】無端移動する感光体と、前記感光体を帯電させる帯電手段と、前記感光体上に色毎の静電潜像を形成させる潜像形成手段と、前記静電潜像を多色のトナーで現像する複数個の現像手段と、前記現像手段による多色のトナー像が順次重転写される無端移動する中間転写体と、前記現像手段による多色のトナー像を中間転写体に順次転写する中間転写手段と、前記中間転写体上に色重ねされたトナー像を一括して転写シートに転写する転写手段と、前記転写シートに転写されたトナー像を定着させる定着手段とを有し、前記転写シートの先端が前記転写手段に到達したとき中間転写体の重転写されたトナー像の先端も転写手段の位置に到達するように構成され、前記転写手段によりトナー像を一括転写する前に前記感光体上に現像される最終色のトナー像が中間転写体に転写されて前記転写シート１頁相当分の全色トナー像が完全に前記中間転写体に転写された後前記中間転写体の周速を前記定着器の周速と略同速度となるよう減速させる制御手段を設けたことを特徴とする電子写真装置。」
　
２．申立の理由の概要
　　申立人山田将之は、証拠として
（１）甲第１号証（実願昭６３−６４１１８号（実開平１−１７１４７０号）のマイクロフィルム）、
（２）甲第２号証（特開平１−２６２５７４号公報）、及び
（３）甲第３号証（特開平２−５３０８５号公報）
を提出し、本件発明は特許法第２９条第２項の規定により特許を受けることができないものであるから、同法第１１３条第１項第２号の規定により特許を取り消すべき旨主張している。
　
３．申立人が提出した甲各号証記載の発明
（１）甲第１号証
　
　「感光体、中間転写体、定着装置および用紙搬送用のローラが同一の駆動源である駆動手段にて駆動され、単色複写を選択するための単色設定キーと、フルカラー複写を選択するためのフルカラー設定キーとの何れかのキーにより単色複写あるいはフルカラー複写が選択されたときに、上記の駆動手段によって駆動される感光体、中間転写体および用紙の移動速度が所定のプロセススピードに設定され、感光体に形成された静電潜像が現像装置にて現像され、得られたトナー像が中間転写体に転写され、この中間転写体のトナー像が用紙に転写され、用紙上のトナー像が定着装置により用紙に定着される電子写真装置において、・・・定着装置における良好な定着性を得る上での最低限必要な用紙の搬送速度に設定すると共に、少なくとも、フルカラー複写における最終現像動作以後のプロセススピード・・・が上記の定着速度と一致するように、駆動手段を制御する制御手段とを備えていることを特徴とする電子写真装置。」（実用新案登録請求の範囲）
　
　「電子写真装置であるフルカラーの複写機は、・・・この原稿載置台１の下方には、図示しない原稿の画像に対応した静電潜像を感光体７に形成するための光学系部６が配されている。・・・
　上記の感光体７はベルト状を成し、第１ローラ８と第２ローラ９とによってＡ方向へ回転駆動されるようになっている。感光体７の上方には、イエロー、マゼンタ、シアン、ブラックの色毎の現像を行う４個の現像装置１０〜１３が配設されている。また、感光体７の周りには感光体７を帯電させる帯電チャージャ１４、および感光体７の表面に残留するトナーを除去するクリーニング装置１５等の装置が配されている。・・・
　上記の第２ローラ９の外周に巻回されている部位の感光体７には、３個のローラ１６・１７・１８にて回転駆動されるベルト状の中間転写体１９が当接されている。感光体７に当接される部位の中間転写体１９の裏面側には、感光体７上の各トナー像を順次中間転写体１９に転写するための転写チャージャ２０が配されている。また、中間転写体１９の下方には、中間転写体１９に転写されたトナー像を用紙に転写する転写チャージャ２１、・・・が配されている。そして、感光体７上に形成された各色のトナー像が転写チャージャ２０により中間転写体１９上に重ね合わされて転写され、転写されたトナー像は、転写チャージャ２１により、・・・用紙に転写され、この用紙は剥離チャージャ２２により中間転写体１９から剥離されるようになっている。」（第７頁第１８行〜第１０頁第６行）
　　
　「また、中間転写体１９の排紙側には、用紙を搬送する搬送ベルト３４が設けられ、この搬送ベルト３４の搬送方向側にはヒートローラ３５ａによって用紙上のトナー像を用紙に定着させる定着装置３５が設けられている。」（第１１頁第１２行〜第１６行）
　
　「また、複写機は、・・・感光体７、中間転写体１９および用紙の移動速度であるプロセススピードを制御する制御手段４７を有している。」（第１１頁第１９行〜第１２頁第６行）
　
　「そして、制御手段４７は、紙質センサ３２の検知出力、用紙サイズセンサ３３の検知出力、および単色設定キー３９とフルカラー設定キー４０との何れがＯＮされたかの条件により、後述のように、ＤＣモータ４８を制御して適宜プロセススピードを第１ないし第３速度の何れかに設定する制御を行うようになっている。」（第１３頁１０行〜第１６行）
　
　「一方、フルカラー設定キー４０がＯＮされていれば、感光体７に形成されている静電潜像に対して現像を行う（Ｓ６）。このときには、３色の成分光に対応する３個の静電潜像に対して行うべき合計３回の現像のうち、２回の現像が行われる。２回の現像が終了すれば（Ｓ７）、感光体７に形成された２個のトナー像を中間転写体１９に重ね合わせて転写する（Ｓ８）。転写が終了すれば（Ｓ９）、上記のＳ５に移行する。
　・・・即ち、用紙が特殊紙のＯＨＰシートである場合には、定着装置３５における定着に要する時間が長くなるので、プロセススピードおよび定着速度は最低速度に設定される。
　・・・即ち、用紙が普通紙かつＡ４サイズ以上である場合、および、用紙が普通紙かつＡ４未満であると共にフルカラー複写である場合には、プロセススピードおよび定着速度は最低速度と最高速度との間の中位の速度に設定される。・・・
　以上のように、所定の条件に応じてプロセススピードおよび定着速度が設定されると、その速度が感光体７と中間転写体１９と用紙との移動速度、および定着装置３５における用紙の搬送速度として適用される。
　その後、・・・フルカラー複写では最終の現像を行う（Ｓ１８）。現像が終了すれば（Ｓ１９）、感光体７上のトナー像を中間転写体１９へ転写する（Ｓ２０）。この転写が終了すれば（Ｓ２１）、レジストローラ３１を回転させて中間転写体１９へ用紙を送り、この用紙に中間転写体１９上のトナー像を転写する（Ｓ２２）。その後、用紙を搬送ベルト３４によって定着装置３５に搬送し、定着装置３５にて定着を行う（Ｓ２３）。」（第１４頁第７行〜第１７頁第１０行）
　
が、図面とともに記載されている。
　　
　そして、上記甲第１号証における電子写真装置は、用紙の先端が転写チャージャに到達したとき、中間転写体上に重ね合わされて転写されたトナー像の先端も上記転写チャージャの位置に到達するように構成されていることが、技術常識として理解されるから、上記記載を総合すると、甲第１号証には、
「ベルト状の感光体７と、前記感光体７を帯電させる帯電チャージャ１４と、原稿の画像に対応した静電潜像を感光体７に形成するための光学系部６と、イエロー、マゼンダ、シアン、ブラックの色毎の現像を行う４個の現像装置１０〜１３と、感光体７上の各トナー像が順次重ね合わされて転写されるベルト状の中間転写体１９と、感光体７上の各トナー像を順次中間転写体１９に転写するための転写チャージャ２０と、前記中間転写体１９に転写されたトナー像を用紙に転写する転写チャージャ２１と、前記トナー像を用紙に定着させる定着装置３５とを有し、前記用紙の先端が前記転写チャージャ２１に到達したとき中間転写体１９上に重ね合わされて転写されたトナー像の先端も転写チャージャ２１の位置に到達するように構成され、フルカラー複写の場合には、最終現像動作以後（実施例では３回の現像・中間転写体への転写動作のうち、２回の動作が終了した後、３回目以降）のプロセススピード及び定着速度を最低速度と最高速度の間の中位の速度に設定する制御手段４７を設けた電子写真装置。」
が、記載されているものと認められる。
　
（２）甲第２号証
　
　「所定の線速度で搬送される感光体の表面上に各色トナー像を形成するとともに、これらの各色トナー像を、搬送系により所定の線速度で搬送される記録媒体上に多重転写させ、転写後の記録媒体を所定の線速度で搬送させながら定着動作を実行させるようにしたカラー画像形成方法において、上記定着工程おける記録媒体の搬送速度を通常の画像形成時より低下させるようにした高画質定着モードを備えてなり、この高画質定着モードにおいては、上記感光体の搬送速度および搬送系による記録媒体の搬送速度のそれぞれを、上記定着工程における記録媒体の搬送速度と同期されるように低下させるとともに、上記高画質定着モードを、最終トナー像の転写動作が完了された後に実行させるようにしたことを特徴とする画像形成方法。」（特許請求の範囲）
　
　「レーザー書込みユニット１から出射される光は、図示を省略した画像読取り装置から送られてきた各色ごとの画像情報によって変調され、帯電チャージャー２により初期帯電されている感光体ドラム３の表面に露光される。これにより上記感光体ドラム３の表面に各色ごとの静電潜像が形成され、その各静電潜像が各色現像装置４，５，６，７により現像され各色トナー可視像が得られる。上記各色現像装置４，５，６，７は、それぞれイエロー現像装置、マゼンタ現像装置、シアン現像装置、ブラック現像装置である。これらの各色現像装置により得られたトナー像は、転写ドラム８に巻き付けられクランパ９により保持されている記録媒体としての記録用紙がわに転写チャージャー１０のコロナ放電作用により多重転写される。上記記録用紙は、給紙カセット１１、呼出しコロ１２および給紙コロ１３などを備える給紙搬送系により上記転写ドラム８の転写部に向かって送り出される。各色トナー可視像の多重転写が行なわれた記録用紙は、分離チャージャー１４および分離爪１５により転写ドラム８から剥離された後、搬送ベルト１６により定着装置１７に送り込まれる。定着装置１７においては、加熱ローラー１７ａおよび加圧ローラー１７ｂによる加熱・加圧工程によって記録用紙上のトナー像の定着動作が行なわれる。」（第２頁右下欄第５行〜第３頁左上欄第１０行）
　
　「このような実施例における画像形成方法では、感光体ドラム３の駆動モーターの速度切り換え動作が、転写工程が終了されたつぎにおける転写ドラム８の回転時に行なわれる。すなわち定着速度を低下させる高画質定着モードが、最終トナー像の転写動作が完了された後に実行され、定着工程が転写工程などの他の画像形成装置工程と切り離して行なわれる。したがって静電潜像形成工程、現像工程、転写工程などの線速度の影響を受け易い各工程は、通常の線速度で実行されることとなる。また、感光体ドラム３の搬送速度および搬送系による記録用紙の搬送速度のそれぞれは、定着搬送速度と同期されるように低下され、定着工程における搬送動作が他の搬送系による搬送動作と同期されながら行なわれる。したがって記録用紙はいずれの部位においても同一の搬送速度で移動されることとなり、記録用紙は従来のように異なる搬送速度で移動されることがなくなる。その結果、記録用紙は低速の定着工程においても良好に搬送されていき、記録用紙にたるみが生じたりトナー像にこすれが生じることはない。」（第５頁右下欄第１６行〜第６頁左上欄第１６行）
　
が、図面とともに記載されている。
　　
（３）甲第３号証
　
　「同一感光体に対し原稿画像の色分解毎に各色に対応した静電潜像を形成する静電潜像形成行程と、上記各色に対応した現像剤を用いて上記色分解毎に感光体上に形成された潜像を顕像化する現像行程と、上記色分解毎に顕像化された画像を所定の転写位置に搬送された転写材に転写する転写行程とを順次繰返し、最終色転写終了後、上記転写材を定着装置に搬送し、転写材に転写された画像を定着して原稿画像に対応したカラー画像を得る画像形成装置において、
　上記転写材を所定の転写位置及び定着位置まで搬送する転写材搬送手段と、該転写材搬送手段の搬送速度を切換える搬送速度切換手段と、上記定着位置に設けられた定着□一ラの回転速度を切換える手段、及びその定着ローラによる定着速度を転写材の種類や厚さ若しくは現像・転写回数に応じて選択決定する手段とを有し、最終色転写終了後に、上記転写材搬送手段による転写材の搬送速度と定着□ーラの速度とを上記選択決定手段によって選択決定された定着速度に応じて切換え、転写材の種類や厚さ若しくは現像・転写回数に応じた搬送・定着制御を行なうことを特徴とする画像形成装置。」（特許請求の範囲）　
　
　「すなわち、転写ドラムによって転写紙を転写位置に搬送する複写機等では、ＰＣドラムと転写ドラムとは同期して一体的に回転駆動されるが、ＰＣドラムと転写ドラムの速度を定着□ーラによる定着速度に合わせて切換られるように構成する。そして、特殊紙の場合には、普通紙の場合のように最終色転写後にすぐに転写ドラムから転写紙を分離するのではなく、最終色転写後に、先ず、ＰＣドラムと転写ドラムの速度を低速に切換えられた定着ローラによる定着速度に合わせて切換え、この後、さらに１回転させて定着速度と同速で転写紙を転写ドラムから分離し、定着器へ導くように構成する。このような、構成にすれば、転写紙の転写ドラムからの分離位置から定着ローラまでの距離が転写紙長さより短くても、転写紙にたるみ等が発生することがなくなり、良好な複写画像が得られる。」（第８頁左下欄第１５行〜同頁右下欄第１１行）
　
が、図面とともに記載されている。
　　
４．当審における対比・判断
（１）本件発明と甲第１号証との対比・判断
　上記甲第１号証において、フルカラー複写の場合に、プロセススピード（中間転写体の速度を含む）及び定着速度を最低速度と最高速度の間の中位の速度に設定することは、実質的に通常の速度より減速する制御を行っているものと解され、かつ、ここでいう「速度」は、本件発明における「周速」と有意な差異はないから、
上記甲第１号証記載の発明における「ベルト状の感光体７」、「感光体７を帯電させる帯電チャージャ１４」、「原稿の画像に対応した静電潜像を感光体７に形成するための光学系部６」、「イエロー、マゼンダ、シアン、ブラックの色毎の現像を行う４個の現像装置１０〜１３」、「感光体７上の各トナー像が順次重ね合わされて転写されるベルト状の中間転写体１９」、「感光体７上の各トナー像を順次中間転写体１９に転写するための転写チャージャ２０」、「中間転写体１９に転写されたトナー像を用紙に転写する転写チャージャ２１」、「トナー像を用紙に定着させる定着装置３５」、「用紙の先端が前記転写チャージャ２１に到達したとき中間転写体１９上に重ね合わされて転写されたトナー像の先端も転写チャージャ２１の位置に到達するように構成され」、「フルカラー複写の場合には、最終現像動作以後のプロセススピード及び定着速度を最低速度と最高速度の間の中位の速度に設定する制御手段４７を設けた」、「電子写真装置」は、それぞれ
本件発明における「無端移動する感光体」、「感光体を帯電させる帯電手段］、［感光体上に色毎の静電潜像を形成させる潜像形成手段］、［静電潜像を多色のトナーで現像する複数個の現像手段］、［現像手段による多色のトナー像が順次重転写される無端移動する中間転写体］、［現像手段による多色のトナー像を中間転写体に順次転写する中間転写手段］、［中間転写体上に色重ねされたトナー像を一括して転写シートに転写する転写手段］、［転写シートに転写されたトナー像を定着させる定着手段］「転写シートの先端が前記転写手段に到達したとき中間転写体の重転写されたトナー像の先端も転写手段の位置に到達するように構成され」、「前記中間転写体の周速を前記定着器の周速と略同速度となるよう減速させる制御手段を設けた」、［電子写真装置］に対応することは明らかである。
　
　そうすると、両者は、
「無端移動する感光体と、前記感光体を帯電させる帯電手段と、前記感光体上に色毎の静電潜像を形成させる潜像形成手段と、前記静電潜像を多色のトナーで現像する複数個の現像手段と、前記現像手段による多色のトナー像が順次重転写される無端移動する中間転写体と、前記現像手段による多色のトナー像を中間転写体に順次転写する中間転写手段と、前記中間転写体上に色重ねされたトナー像を一括して転写シートに転写する転写手段と、前記転写シートに転写されたトナー像を定着させる定着手段とを有し、前記転写シートの先端が前記転写手段に到達したとき中間転写体の重転写されたトナー像の先端も転写手段の位置に到達するように構成され、前記中間転写体の周速を前記定着器の周速と略同速度となるよう減速させる制御手段を設けた電子写真装置」である点で一致し、
次の点で相違している。
（相違点）　
　上記減速させる制御の手法として、
　本件発明が、前記転写手段によりトナー像を一括転写する前に前記感光体上に現像される最終色のトナー像が中間転写体に転写されて前記転写シート１頁相当分の全色トナー像が完全に前記中間転写体に転写された後前記中間転写体の周速を前記定着器の周速と略同速度となるよう減速させるのに対し、
　甲第１号証に記載された発明が、フルカラー複写の場合には、最終現像動作以後（即ち、最終現像動作を含む動作）のプロセススピード及び定着速度を最低速度と最高速度の間の中位の速度に減速させる点。
　
（２）上記相違点についての検討
　甲第２号証には、上記記載のように、高画質定着モードにおいて、最終トナー像の転写動作の完了後に定着速度を低下させる速度制御方式のカラー画像形成装置が記載され、また、甲第３号証には、上記記載のように、最終色転写後に、転写紙搬送ベルトの速度又はＰＣドラムと転写ドラムの速度を低速に切り換えられた定着速度に合わせて切り換えるようにした画像形成装置が記載されているが、甲第２号証、甲第３号証の何れにも、本件発明の転写シート１頁相当分の全色トナー像が完全に前記中間転写体に転写された後に減速する構成要件を開示する記載や示唆はない。
　すなわち、上記甲第２号証、甲第３号証に記載された発明は、何れもトナー像が中間転写を経ずして、直接、転写シート（記録紙）に転写されるものであり、上記「最終トナー像の転写動作の完了後」や「最終色転写後」の意味は、転写シートにトナー像を全て転写した後に、転写シートが次の工程として定着工程を残す段階に入ってから速度を調整する技術思想を開示するものであって、本件発明の、中間転写体を有し、転写シート１頁相当分の全色トナー像が完全に前記中間転写体に転写された後、即ち、転写シートにトナー像が転写される前に減速するものとは基本的に技術思想が相違しており、しかも、この構成要件は、「転写器（１３）の位置に色重ねされたトナー像の先端が到達した際、同時に最終色の現像、中間転写工程が行われており、この際、中間転写体ユニットの制御装置（１４）により転写器（１３）を作動させず、転写工程に入ることなく無端中間転写体ベルト（９）上にトナー像を保持した状態で、無端中間転写体ベルト（９）を１回転空回りさせる」という技術事項によって裏付けられて実現したものであることを考慮すると、上記甲第２号証、甲第３号証に記載された事項を上記甲第１号証に適用したとしても、上記相違点の構成を導くことはできないと言うべきである。
　したがって、本件発明は、甲第１号証の発明に甲第２号証、甲第３号証に記載された事項を適用したとしても当業者が容易に発明をすることができたとは認められない。
　
（３）まとめ
　したがって、本件発明が、上記甲各号証の何れかに記載の発明であるとも、また、上記甲各号証に記載の発明から容易に想到しうるものとも認められない。
　
５．むすび
　以上のとおりであるから、特許異議申立ての理由及び証拠によっては、本件請求項１に係る発明の特許を取り消すことはできない。
　また、他に本件請求項１に係る特許を取り消すべき理由を発見しない。
　よって、結論のとおり決定する。
　
【異議決定日】
平成１２年９月４日（２０００．９．４）